(57)【要約】【課題】ＰＯＮシステムを適用したデータ伝送システムに関し、上り方向帯域の有効利用を図る。【解決手段】端局装置１０に、光カプラ３０を介して光ファイバ伝送路により複数の終端装置２０,２１が接続されて、端局装置１０と複数の終端装置との間で光信号によるフレーム送受信を行うデータ伝送システムに於いて、端局装置１０は、終端装置２０，２１対応に割当てた論理リンク情報（ＬＬＩＤ）を管理する管理テーブルと、終端装置２０，２１との間のフレーム送受信を制御するＰＯＮ処理部とを含む構成を有し、終端装置２０，２１は、端局装置１０からの割当てられた論理リンク情報とＭＡＣアドレスとを対応して管理する管理テーブルと、複数の論理リンク情報（ＬＬＩＤ）に対応した複数のデータフレームを連結して、ＰＯＮオーバヘッド部を付加したフレームを上り帯域に送信するＰＯＮ処理部とを含む構成を有する。【選択図】図１
2007116587.tif 000002
【特許請求の範囲】
【請求項１】
端局装置に光カプラを介してそれぞれ光ファイバ伝送路により接続した複数の終端装置を備えたデータ伝送システムに於いて、
前記端局装置は、前記終端装置対応に割当てた論理リンク情報を管理する管理テーブルと、前記終端装置との間のフレーム送受信を制御するＰＯＮ処理部とを含む構成を有し、
前記終端装置は、前記端局装置から割当てられた論理リンク情報とＭＡＣアドレスとを対応して管理する管理テーブルと、複数の前記論理リンク情報に対応した複数のデータフレームを連結してＰＯＮオーバヘッド部を付加したフレームを上り帯域に送信するＰＯＮ処理部とを含む構成を有する
ことを特徴とするデータ伝送システム。
【請求項２】
前記終端装置の前記ＰＯＮ処理部は、前記論理リンク情報対応の各データフレームのプリアンブル部に、前記論理リンク情報を含ませて前記端局装置へ送信する構成を備えたことを特徴とする請求項１記載のデータ伝送システム。
【発明の詳細な説明】
【技術分野】
【０００１】
本発明は、ＰＯＮ（Ｐａｓｓｉｖｅ  Ｏｐｔｉｃａｌ  Ｎｅｔｗｏｒｋ）システムを適用し、且つ伝送効率を向上することができるデータ伝送システムに関する。
【背景技術】
【０００２】
伝送データを光信号として光ファイバ伝送路により伝送するデータ伝送システムは、端局装置（ＯＬＴ；Ｏｐｔｉｃａｌ  Ｌｉｎｅ  Ｔｅｒｍｉｎａｔｉｏｎ）と終端装置（ＯＮＵ；Ｏｐｔｉｃａｌ  Ｎｅｔｗｏｒｋ  Ｕｎｉｔ）との間を、光ファイバ伝送路により１対１で接続したシングルスター方式と、端局装置（ＯＬＴ）と複数の終端装置（ＯＮＵ）との間を、光ファイバ伝送路により１対ｎで接続したダブルスター方式とがある。
【０００３】
ＰＯＮシステムは、端局装置（ＯＬＴ）−終端装置（ＯＮＵ）間をＳＴＭ（Ｓｙｎｃｈｒｏｎｏｕｓ  Ｔｒａｎｓｆｅｒ  Ｍｏｄｅ；同期転送モード）方式を適用して通信するＳＴＭ−ＰＯＮシステム、ＡＴＭ（Ａｓｙｎｃｈｒｏｎｏｕｓ  Ｔｒａｎｓｆｅｒ  Ｍｏｄｅ；非同期転送モード）方式を適用して通信するＢ−ＰＯＮシステム，Ａ−ＰＯＮシステム、又Ｅｔｈｅｒｎｅｔ（登録商標）方式で通信するＥ−ＰＯＮシステム，ＧＥ−ＰＯＮシステムに大別され、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｅｃｔｉｏｎ）に於いて標準化され、又は標準化が進められている。
【０００４】
又端局装置（ＯＬＴ）からの同期信号を基に、複数の終端装置（ＯＮＵ）に於けるそれぞれの上り方向の送信タイミングを登録して、複数の終端装置（ＯＮＵ）の上り方向の送信データの衝突を回避するシステムが知られている（例えば、特許文献１参照）。又前述のＢ−ＰＯＮシステム等に於ける伝送帯域の割当てを、往復遅延時間を基に設定し、且つその往復遅延時間が不明の場合でも最適な割当てを可能とした手段が提案されている（例えば、特許文献２参照）。
【特許文献１】特開２００３−２４４１７８号公報
【特許文献２】特開２００３−２５８８８３号公報
【発明の開示】
【発明が解決しようとする課題】
【０００５】
ＰＯＮ区間をＥｔｈｅｒｎｅｔ（登録商標）通信するデータ伝送システムに於いては、端局装置（ＯＬＴ）配下の終端装置（ＯＮＵ）が一斉に送信を開始すると、光ファイバ伝送路の集約箇所（光カプラ）に於いて送信フレームの衝突が発生する。この衝突を回避する為に、終端装置（ＯＮＵ）から端局装置（ＯＬＴ）への上り方向通信は、ＴＤＭＡ（Ｔｉｍｅ  Ｄｉｖｉｓｉｏｎ  Ｍｕｌｔｉｐｌｅ  Ａｃｃｅｓｓ）方式を適用している。このＴＤＭＡ方式を実現する為に、端局装置（ＯＬＴ）は、ＰＯＮ区間にローカルな制御フレームを終端装置（ＯＮＵ）へ送信し、終端装置（ＯＮＵ）はその制御フレームにより指示された送信の割当時間（ｇｒａｎｔ  ｔｉｍｅ）を認識して、この割当時間内に於いて端局装置（ＯＬＴ）へ送信する。
【０００６】
又端局装置（ＯＬＴ）は、それぞれ異なる距離の終端装置（ＯＮＵ）からの光信号を受信することになり、終端装置（ＯＮＵ）毎に異なる光信号レベル、送信周波数等を吸収することが必要であり、ＧＥ−ＰＯＮに於いては、光レベル調整、受信周波数と送信周波数の同期を確立する為のＰＯＮオーバヘッド部が、ＩＥＥＥ８０２．３ａｈにより定義されている。即ち、終端装置（ＯＮＵ）は、上り方向通信に於いて、ＰＯＮオーバヘッド部を付加することが義務付けられている。又端局装置（ＯＬＴ）と終端装置（ＯＮＵ）との間で確立した論理的なリンク情報（ＬＬＩＤ：Ｌｏｇｉｃａｌ  Ｌｉｎｋ  ＩＤ）に基づいて、相互間通信を可能としている。又上り方向の帯域割当ても一つの論理リンク情報（ＬＬＩＤ）に対して、一つの割当時間（ｇｒａｎｔ  ｔｉｍｅ）を与えることにより、送信を許可する方式である。
【０００７】
一つの論理リンク情報（ＬＬＩＤ）に一つの帯域が割当てられることから、或る終端装置（ＯＮＵ）が、複数の論理リンク情報（ＬＬＩＤ）の割当てを受けることにより、複数の帯域を使用して送受信を行うことができる。その場合、前述の、ＩＥＥＥ８０２．３ａｈに準拠した通信方式を適用し、例えば、４個の論理リンク情報（ＬＬＩＤ）の割当てを受けると、同一の終端装置（ＯＮＵ）と端局装置（ＯＬＴ）との間の通信であっても、４個のデータフレームに、それぞれＰＯＮオーバヘッド部を付加して送信するものであるから、伝送帯域を有効に利用していることにはならない問題がある。
【０００８】
本発明は、複数の論理リンク情報（ＬＬＩＤ）の割当てを受けた時に、上り帯域の有効利用を図ることを目的とする。
【課題を解決するための手段】
【０００９】
本発明のデータ伝送システムは、端局装置に光カプラを介してそれぞれ光ファイバ伝送路により接続した複数の終端装置を備えたデータ伝送システムに於いて、端局装置は、前記終端装置対応に割当てた論理リンク情報を管理する管理テーブルと、前記終端装置との間のフレーム送受信を制御するＰＯＮ処理部とを含む構成を有し、終端装置は、前記端局装置から割当てられた論理リンク情報とＭＡＣアドレスとを対応して管理する管理テーブルと、複数の前記論理リンク情報に対応した複数のデータフレームを連結してＰＯＮオーバヘッド部を付加したフレームを上り帯域に送信するＰＯＮ処理部とを含む構成を有するものである。
【００１０】
又前記終端装置の前記ＰＯＮ処理部は、前記論理リンク情報対応の各データフレームのプリアンブル部に、前記論理リンク情報を含ませて前記端局装置へ送信する構成を備えている。
【発明の効果】
【００１１】
終端装置は、複数の論理リンク情報の割当てにより、複数のデータフレームを連結してＰＯＮオーバヘッド部を付加して、端局装置への上り帯域で送信するから、複数の論理リンク情報対応にそれぞれＰＯＮオーバヘッド部を付加して送信する場合に比較して、ＰＯＮオーバヘッド部の占める帯域を有効に利用することができる。
【発明を実施するための最良の形態】
【００１２】
本発明のデータ伝送システムは、図１を参照すると、端局装置１０に対して、光カプラ３０を介して光ファイバ伝送路により複数の終端装置２０,２１が接続されて、端局装置１０と複数の終端装置との間で光信号によるフレーム送受信を行うデータ伝送システムに於いて、端局装置１０は、終端装置２０，２１対応に割当てた論理リンク情報（ＬＬＩＤ）を管理する管理テーブルと、終端装置２０，２１との間のフレーム送受信を制御するＰＯＮ処理部とを含む構成を有し、終端装置２０，２１は、端局装置１０からの割当てられた論理リンク情報とＭＡＣアドレスとを対応して管理する管理テーブルと、複数の論理リンク情報（ＬＬＩＤ）に対応した複数のデータフレームを連結して、ＰＯＮオーバヘッド部を付加したフレームを上り帯域に送信するＰＯＮ処理部とを含む構成を有するものである。
【実施例１】
【００１３】
図１は、本発明の実施例１の説明図であり、（Ａ）はデータ伝送システムの概要を示し、（Ｂ）は伝送フレームの一例を示す。図１の（Ａ）に於いて、１０はＰＯＮシステムの端局装置（ＯＬＴ）、２０は例えば二つの論理リンク情報ＬＬＩＤ＃１，ＬＬＩＤ＃２を付与された終端装置（ＯＮＵ  Ａ）、２１は例えば二つの論理リンク情報ＬＬＩＤ＃３，ＬＬＩＤ＃４を付与された終端装置（ＯＮＵ  Ｂ）、３０は光カプラ、４０は端末を示し、５０は伝送フレームの概要を示す。
【００１４】
端局装置１０と終端装置２０，２１との間は、光カプラ３０と光ファイバ伝送路とを介して接続され、例えば、ＩＥＥＥ８０２．３ａｈに定義されているＭＰＣＰ  Ｄｉｓｃｏｖｅｒｙシーケンスにより、端局装置１０から終端装置２０，２１に対して、論理リンク情報ＬＬＩＤが付与される。これは、終端装置２０，２１の１ＭＡＣ（Ｍｅｄｉａ  Ａｃｃｅｓｓ  Ｃｏｎｔｒｏｌ）アドレスと論理リンク情報ＬＬＩＤとを関連付けるもので、例えば、終端装置２０がＭＡＣアドレスＡ，Ｂを所持している場合、ＭＡＣアドレスＡに論理リンク情報ＬＬＩＤ＃１、ＭＡＣアドレスＢに論理リンク情報ＬＬＩＤ＃２を付与することにより、終端装置２０には二つの論理リンク情報ＬＬＩＤ＃１，ＬＬＩＤ＃２が付与されることになる。同様にして、終端装置２１に二つの論理リンク情報ＬＬＩＤ＃３，ＬＬＩＤ＃４を付与することができる。
【００１５】
又終端装置２０，２１は、登録要求フレームにより、それぞれが所持可能の論理リンク情報数と、所持している総てのＭＡＣアドレスとを端局装置１０に通知することにより、端局装置１０は、終端装置２０，２１からのデータフレームを処理することができる。その場合、従来は、図１の（Ｂ）の（ａ）に示すように、終端装置２０は、上り帯域が論理リンク情報対応に別個に割当てられることにより、それぞれＰＯＮオーバヘッド部（データフレームの前後）を付加したデータフレームを送信することになる。これに対して、本発明に於いては、図１の（Ｂ）の（ｂ）に示すように、終端装置２０に対して、二つの論理リンク情報ＬＬＩＤ＃１，ＬＬＩＤ＃２に対して上り帯域を一度に割当てることにより、二つのデータフレームを連結して、一つのＰＯＮオーバヘッド部を、二つのデータフレームに対して付加して送信する。それにより一つのＰＯＮオーバヘッド部に相当する帯域ＢＷを、他の上り帯域に割当てることが可能となり、上り帯域の有効利用を図ることができる。
【００１６】
図２は、ＰＯＮオーバヘッド部の説明図であり、ＩＥＥＥ８０２．３ａｈの定義による場合を示し、（Ａ）はタイミングの関係を示し、（Ｂ）はＰＯＮオーバヘッド部とデータフレームとを示す。又（Ａ）の（ａ）は光信号期間、（ｂ）は割当時間ＧＴ、（ｃ）は送信可能期間、（ｄ）はデータ期間Ｄを示し、ＩＤＬは送信可能期間内のデータ期間Ｄ以外のアイドル期間を示す。又（Ｂ）はＰＯＮオーバヘッド部に於いて、Ｈ１は前半部、Ｈ２は後半部を示す。又図２の（Ａ）の（ａ）の光信号期間に於いて、ＩＥＥＥ８０２．３ａｈのＣｌａｕｓｅ６０として規定されているＰＯＮオーバヘッド部の場合、ｔ１＝Ｔｏｎ（光信号の立ち上がり時間）、ｔ２＝Ｔｒｅｃｅｉｖｅｒ−ｓｅｔｔｉｎｇ（受信光波形レベル調整期間）、ｔ３＝Ｔｃｄｒ（受信データから受信クロック抽出の為のビット同期期間）、Ｔ４＝Ｔｃｏｄｅ−ｇｒｏｕｐ−ａｌｉｇｎ（受信データのバイト同期期間）、ｔ５＝Ｔｏｆｆ（光信号の消光時間）を示し、ｔ２＋ｔ３＋ｔ４＜４００ｎｓと定義され、Ｃｌａｕｓｅ６４には、ｔ２＋ｔ３＋ｔ４＜５１２ｎｓと定義されている。又（Ｂ）に於けるＰＯＮオーバヘッド部の前半部Ｈ１＝ｔ１＋ｔ２＋ｔ３＋ｔ４であり、又後半部Ｈ２＝ｔ５となる。又伝送符号としては８Ｂ／１０Ｂ符号が適用されている。
【００１７】
図３は、単一の論理リンク情報を割当てた場合の上り方向の伝送フレームの説明図であり、割当時間ＧＴ内に、ＰＯＮオーバヘッド部とデータフレームとフレーム間ギャップＩＦＧとを含み、ＰＯＮオーバヘッド部は、光信号の立ち上がり時間Ｔｏｎと同期時間Ｓｙｎｃ[＝(Ｔｃｏｄｅ−ｇｒｏｕｐ−ａｌｉｇｎ)＋(Ｔｃｄｒ)＋(Ｔｃｏｄｅ−ｇｒｏｕｐ−ａｌｉｇｎ）]とを含み、データフレームは、８バイトのプリアンブルＰＲと、６バイトの送信先アドレスＤＡと、８バイトの送信元アドレスＳＡと、２バイトのタイプ／フレーム長Ｔｙｐｅ／Ｌｅｎｇｔｈと、４６〜１５００バイトのペイロードＰａｙｌｏａｄと、フレームチェックシーケンスＦＣＳと含むものである。なお、フレーム間ギャップＩＦＧの後のデータフレームは、割当時間ＧＴ内に複数のデータフレームを挿入することが可能であることを示している。
【００１８】
図４は、二つの論理リンク情報を割当てた場合の上り方向の伝送フレームの説明図であり、ＧＴ１は論理リンク情報ＬＬＩＤ１対応の割当時間、ＧＴ２は論理リンク情報ＬＬＩＤ２対応の割当時間を示し、一部は時間的に重複した状態で上下に分割して示し、他の符号は図３に示すものと同一名称の場合を示す。なお、論理リンク情報ＬＬＩＤ１，ＬＬＩＤ２は、それぞれの割当時間ＧＴ１，ＧＴ２のデータフレームのプリアンブルＰＲに含まれている。
【００１９】
同一の終端装置に前述のように、例えば、二つの論理リンク情報が割当てられた時に、従来は、図１の（Ｂ）の（ａ）に示すように、別々の上り帯域として伝送するものであるから、データフレーム対応にＰＯＮオーバヘッド部を付加するものであるが、本発明によれば、一つにまとめた上り帯域として、二つのフレームデータを、図１の（Ｂ）の（ｂ）に示すように連結し、それに１個のＰＯＮオーバヘッド部を付加するから、一つ分のＰＯＮオーバヘッド部（Ｈ１＋Ｈ２）の帯域を、他の終端装置等に割当てることが可能となり、帯域の有効利用を図ることができる。
【００２０】
図５は、端局装置と終端装置との説明図であり、（Ａ）は端局装置（ＯＬＴ）、（Ｂ）は終端装置（ＯＮＵ）を示し、１０は端局装置（ＯＬＴ）、１０１は光インタフェース部、１０２は符号化器、１０３は復号化器、１０４はＰＯＮ処理部、１０５はＯＮＵ／ＬＬＩＤ管理部、１０６は管理テーブル、１０７はインタフェース部、２０は終端部（ＯＮＵ）、１１１は光インタフェース部、１１２は符号化器、１１３は復号化器、１１４はＰＯＮ処理部、１１５はＬＬＩＤ管理部、１１６は管理テーブル、１１７はインタフェース部を示す。
【００２１】
端局装置１０の光インタフェース部１０１と、終端装置２０の光インタフェース部１１１との間を、光カプラを介した光ファイバ伝送路により接続して、光信号により送受信するものであり、又端局装置１０のインタフェース部１０７を介して図示を省略したネットワークと接続し、又終端装置２０のインタフェース部１１７を介して端末（例えば、図１に示す端末４０）と接続する。又ＰＯＮ処理部１０４，１１４は、ＰＯＮオーバヘッド部の処理と、データフレームの処理と、インタフェース部１０７，１１７との間の転送処理及び符号化器１０２，１１２と復号化器１０３，１１３との間の転送処理を行うものである。又符号化器１０２，１１２及び復号化器１０３，１１３は、ＰＣＳ（Ｐｈｙｓｉｃａｌ  Ｃｏｄｉｎｇ  Ｓｕｂｌａｙｅｒ）の処理機能を有し、符号化器１０２，１１２は、ＰＯＮ処理部１０４，１１４からの８ビット符号から１０ビット符号に変換して、光インタフェース部１０１，１１１へ転送し、復号化器１０３，１１３は、光インタフェース部１０１，１１１からの１０ビット符号を８ビット符号に変換して、ＰＯＮ処理部１０４，１１４へ転送する。又端局装置１０の管理テーブル１０６は、終端装置対応に、それぞれ割当てた単一又は複数の論理リンク情報を保持する。ＯＮＵ／ＬＬＩＤ管理部１０５は、管理テーブル１０６への登録処理及びこの管理テーブル１０６を参照して終端装置２０対応に上り帯域の割当てを行う。ＰＯＮ処理部１０４は、ＯＮＵ／ＬＬＩＤ管理部１０５との間の情報の送受信により、複数の論理リンク情報ＬＬＩＤを有する終端装置に対して、一括した上り帯域を割当てることにより、割当論理リンク情報数に対応してまとめたデータフレームの送出を許可する。
【００２２】
又終端装置２０は、ＬＬＩＤ管理部１１５により、複数のＭＡＣアドレス対応に割当てられた論理リンク情報を、管理テーブル１１６に設定し、上り帯域によりデータフレーム送信時には、管理テーブル１１６を参照し、ＰＯＮ処理部１１４によるＰＯＮオーバヘッド部を一括化して、論理リンク情報数のデータフレームをまとめて付加し、論理リンク情報対応のデータフレームの先頭のプリアンブルＰＲに論理リンク情報を含ませて送信する制御を行わせる。又符号化器１０２，１１２はデータフレームのデータの符号化を行い、又復号化器１０３，１１３は、符号化されたデータフレームのデータの復号化を行うものである。
【００２３】
図６は、本発明の実施例の論理リンク情報の割当シーケンスの説明図であり、端局装置ＯＬＴからＤｉｓｃｏｖｅｒ  Ｇａｔｅを終端装置ＯＮＵに送信する。これは、ＭＰＣＰ（Ｍｕｌｔｉ  Ｐｏｉｎｔ  Ｃｏｎｔｒｏｌ  Ｐｒｏｔｏｃｏｌ）による割当時間を示すフレームであり、終端装置ＯＮＵに同報形式で送信する。終端装置ＯＮＵは、Ｄｉｓｃｏｖｅｒ  Ｇａｔｅを受信して、端局装置ＯＬＴに対し、論理リンク情報の付与を要求するＲｅｇｉｓｔｅｒ  Ｒｅｑｕｅｓｔを送信する。この時、終端装置ＯＮＵが所有している全ＭＡＣアドレスを付加したＲｅｇｉｓｔｅｒ  Ｒｅｑｕｅｓｔを送信する。これに対して、端局装置ＯＬＴは、論理リンク情報を通知するＲｅｇｉｓｔｅｒを終端装置ＯＮＵに送信する。この時、終端装置ＯＮＵのＭＡＣアドレス数が２の場合、端局装置ＯＬＴは、終端装置ＯＮＵに対して、論理リンク情報ＬＬＩＤ１，ＬＬＩＤ２をＲｅｇｉｓｔｅｒにより通知する。
【００２４】
そして、端局装置ＯＬＴは、図５に示す管理テーブル１０６に、終端装置ＯＮＵ対応の複数のＭＡＣアドレスと割当てた論理リンク情報とを格納し、終端装置ＯＮＵに対して、Ｎｏｒｍａｌ  Ｇａｔｅにより、論理リンク情報ＬＬＩＤ１，ＬＬＩＤ２対応の割当時間（例えば、図４に於けるＧＴ１，ＧＴ２）を個別に通知する。終端装置ＯＮＵは、論理リンク情報ＬＬＩＤ１，ＬＬＩＤ２対応のＮｏｒｍａｌ  Ｇａｔｅ受信して、それぞれ正常完了の場合、Ｒｅｇｉｓｔｅｒ  Ａｃｋを論理リンク情報対応に端局装置ＯＬＴに送信する。
【００２５】
図７は、３２台の終端装置を含むデータ伝送システムの説明図であり、図１と同一符号は同一部分を示し、光カプラ３０を介して、端局装置１０に３２台の終端装置２０（ＯＮＵ＃１〜ＯＮＵ＃３２）が接続され、終端装置２０（ＯＮＵ＃１〜ＯＮＵ＃３２）にはそれぞれ端末４０が接続されたデータ伝送システムに於いて、終端装置２０（ＯＮＵ＃１〜ＯＮＵ＃３２）にそれぞれ二つの論理リンク情報ＬＬＩＤ＃１，ＬＬＩＤ＃２，・・・ＬＬＩＤ＃６３，ＬＬＩＤ６４が割当てられた場合を示す。それにより、上り帯域の伝送フレームは、終端装置のＯＮＵ＃１〜ＯＮＵ＃４について示すと、論理リンク情報ＬＬＩＤ＃１，ＬＬＩＤ＃２，・・・ＬＬＩＤ＃７，ＬＬＩＤ８対応の伝送フレームのＰＯＮオーバヘッド部を、矢印で下方に示すように、二つのデータフレームを連結して一つのＰＯＮオーバヘッド部を付加して伝送するから、ＰＯＮオーバヘッド部の帯域分の３２倍に相当する上り帯域を節約することができる。
【００２６】
例えば、帯域割当て周期を６００μｓｅｃとし、ＩＥＥＥ８０２．３ａｈに準拠したＰＯＮオーバヘッド部を１２８０ｎｓｅｃとすると、前述のように、３２台の終端装置を接続して、それぞれ二つの論理リンク情報を割当てた場合の総ＰＯＮオーバヘッド部の値は、１２８０×６４＝８１９２０（ｎｓｅｃ）となる。これに対して前述の本発明によると、１２８０×３２＝４０９６０（ｎｓｅｃ）となり、帯域割当て周期（６００μｓｅｃ）に対する総ＰＯＮオーバヘッド部は、従来例では、１３．６％を占めることになるが、本発明によれば、その半分の６．８％となる。即ち、上り帯域を有効に活用することができる。又１台の終端装置に対して三つ以上の論理リンク情報を割当てることも可能であり、その場合には、更に、帯域割当て周期に対するＰＯＮオーバヘッド部の占める割合を小さくすることができる。
【図面の簡単な説明】
【００２７】
【図１】本発明の実施例１の説明図である。
【図２】ＰＯＮオーバヘッド部の説明図である。
【図３】単一論理リンク情報対応の上り方向フレームの説明図である。
【図４】複数論理リンク情報対応の上り方向フレームの説明図である。
【図５】端局装置と終端装置との説明図である。
【図６】本発明の実施例１のシーケンス説明図である。
【図７】３２台の終端装置を含むデータ伝送システムの説明図である。
【符号の説明】
【００２８】
１０  端局装置（ＯＬＴ）
２０  終端装置（ＯＮＵ）
３０  光カプラ
４０  端末
１０４  ＰＯＮ処理部
１０５  ＯＮＵ／ＬＬＩＤ管理部
１０６  管理テーブル
１１４  ＰＯＮ処理部
１１５  ＬＬＩＤ管理部
１１６  管理テーブル
【図１】
2007116587.tif 000003
【図２】
2007116587.tif 000004
【図３】
2007116587.tif 000005
【図４】
2007116587.tif 000006
【図５】
2007116587.tif 000007
【図６】
2007116587.tif 000008
【図７】
2007116587.tif 000009